(57)【要約】【課題】配光の切替えを行う可動シェード30用のソレノイド100を灯室内に簡単に組付け可能で、スムーズな配光の切替えを保証できる車両用前照灯を提供。【解決手段】ランプボディ12と前面カバー14で形成した灯室16内に、光源23を挿着したリフレクタ25と配光切替用の可動シェード30を一体化した灯具ユニット18を設け、可動シェード30の近傍に可動シェード駆動用のソレノイド100を設け、ソレノイド100のプランジャ130の進退動作に連携して可動シェード30が動作して灯具ユニット18の配光が切り替わる前照灯で、ソレノイド100の出入口113近傍に設けた給電用コネクタ部120に取着する端子カバー140に、プランジャ抜止用の係止突起144を形成した。プランジャ130が出入口113から勝手に脱落せず、ソレノイド100の取扱いや灯具ユニット18への組付けが簡単になる。出入口113への異物の混入によるソレノイド100駆動上のトラブルがなく、配光の適正な切替えが保証される。【選択図】図１
2010003589.tif 000002
【特許請求の範囲】
【請求項１】
ランプボディと前面カバーで形成された灯室内に、光源を挿着したリフレクタに配光切替用の可動シェードを一体化した灯具ユニットが設けられるとともに、前記可動シェードの近傍に可動シェード駆動用のアクチュエータであるソレノイドが設けられ、前記ソレノイドの摺動プランジャの進退動作に連携して前記可動シェードが動作して前記灯具ユニットの配光が切り替わる車両用前照灯において、
前記ソレノイドのプランジャ出入口近傍に、接続端子を内蔵する樹脂製の給電用コネクタ部が形成されるとともに、該コネクタ部に取着された樹脂製の端子カバーにプランジャ抜止用の係止突起が形成されたことを特徴とする車両用前照灯。
【請求項２】
前記給電用コネクタ部は、前記摺動プランジャの突出方向に沿って延出するとともに、前記コネクタ部の延出端側から前記端子カバーをスライド係合させることで、両者の相対スライド面の所定位置に対向して設けられている凹部と凸部で構成された凹凸ランス係合部が係合するように構成されたことを特徴とする請求項１に記載の車両用前照灯。
【請求項３】
前記凹凸ランス係合部を構成する凹部と凸部の少なくともいずれか一方が、前記給電用コネクタ部と前記端子カバーの相対スライド方向に沿って複数設けられたことを特徴とする請求項２に記載の車両用前照灯。
【発明の詳細な説明】
【技術分野】
【０００１】
本発明は、ランプボディと前面カバーで形成された灯室内に、光源を挿着したリフレクタに配光切替用の可動シェードを一体化した灯具ユニットが設けられるとともに、可動シェードの近傍に可動シェード駆動用のアクチュエータであるソレノイドが設けられて、ソレノイドの摺動プランジャの進退動作に連携して可動シェードが動作して灯具ユニットの配光パターンが切り替わる車両用前照灯に関する。
【背景技術】
【０００２】
この種の車両用灯具の従来技術としては、例えば、下記特許文献１，２に示す前照灯がある。
【０００３】
特許文献１，２には、ランプボディと前面カバーで形成された灯室内に、投影レンズ，光源を挿着したほぼ楕円体形状のリフレクタ，投影レンズとリフレクタとの間に配置された配光切替用の可動シェードを一体化した投射型灯具ユニットが収容され、可動シェードは、灯具ユニットの光軸近傍において車幅方向に延びる回動軸線回りに回動可能に構成され、灯具ユニット（可動シェード）の下方には、該灯具ユニットに固定されたシェード回動用のアクチュエータであるソレノイドが配設された前照灯が記載されている。
【０００４】
ソレノイドは、ソレノイド本体のプランジャ出入口に対し進退動作する摺動プランジャを備え、可動シェードと摺動プランジャ間には連携機構が介装されて、摺動プランジャの進退動作に連携して可動シェードが回動して、所定のカットオフラインをもつすれ違いビーム形成位置と、走行ビーム形成位置とを択一的にとることで、灯具ユニット（前照灯）の配光が切り替わるように構成されている。
【特許文献１】特開２００７−８０５２１号
【特許文献２】特開２００８−２７７６８号
【発明の開示】
【発明が解決しようとする課題】
【０００５】
しかし、前記した従来のソレノイドでは、ソレノイドを搬送したり、ソレノイドを灯具ユニットに組み付ける作業を行う際に、摺動プランジャが勝手に移動してプランジャ出入口から抜け落ちてしまうおそれがあって、ソレノイドの取り扱いが面倒な上に、灯具ユニットにソレノイドを組み付ける作業に時間がかかるという問題があった。
【０００６】
また、摺動プランジャが抜け落ちた場合には、摺動プランジャをプランジャ出入口に挿入すればよいが、開口したプランジャ出入口に誤ってゴミ等の異物が侵入したり、プランジャに付着してプランジャ出入口内に異物が侵入して、摺動プランジャの摺動性が阻害されるという問題もあった。
【０００７】
本発明は、前記した問題点を解消するためになされたもので、その目的は、配光の切替えを行う可動シェードを駆動するためのアクチュエータであるソレノイドを灯室内所定位置にスムーズに組付けることができるとともに、スムーズな配光の切り替え動作が保証された車両用前照灯を提供することにある。
【課題を解決するための手段】
【０００８】
前記目的を達成するために、本願発明に係る車両用前照灯においては、ランプボディと前面カバーで形成された灯室内に、光源を挿着したリフレクタに配光切替用の可動シェードを一体化した灯具ユニットを設けるとともに、前記可動シェードの近傍に可動シェード駆動用のアクチュエータであるソレノイドを設け、前記ソレノイドの摺動プランジャの進退動作に連携して前記可動シェードが動作して前記灯具ユニットの配光が切り替わる車両用前照灯において、
前記ソレノイドのプランジャ出入口近傍に、接続端子を内蔵する樹脂製の給電用コネクタ部を形成するとともに、該コネクタ部に取着した樹脂製の端子カバーにプランジャ抜止用の係止突起を形成するように構成した。
【０００９】
（作用）点灯中の前照灯の灯室内は光源の発熱により高温となり、さらに通電時のソレノイド自体も発熱により高温となることを考慮して、ソレノイドの給電用コネクタ部に内蔵する接続端子は、ハンダ付け不要な帯状の金属板で（以下、バスバー配線という）の一部で構成される傾向にある。このため、給電用コネクタ部の底面側は、圧入やカシメによってバスバー配線を敷設するために開口された構造で、コネクタ部内のバスバー配線（接続端子）は、コネクタ部底面側に露呈し、絶縁上の不安がある。そこで、コネクタ部に取着した樹脂製の端子カバーでコネクタ部底面側の開口部を覆って、コネクタ部に内蔵されたバスバー配線（接続端子）の絶縁が確保されている。
【００１０】
また、コネクタ部内のバスバー配線で構成した通電路には、ノイズ低減用ダイオード等の電子部品が圧入により搭載される場合があり、コネクタ部に取着した端子カバーには、これらの電子部品を搭載した通電路の絶縁を確保する作用もある。
【００１１】
このように、給電用コネクタ部には、内蔵されている接続端子等の絶縁を確保するための樹脂製の端子カバーが取着されているが、端子カバーに形成されているプランジャ抜止用の係止突起が、プランジャの逸脱方向前方にあって、逸脱方向に移動するプランジャ先端部に当接してプランジャのプランジャ出入口からの脱落を阻止する。即ち、プランジャはプランジャ出入口に対し抜け止めされた形態に保持される。
【００１２】
そしてソレノイドは、摺動プランジャと可動シェードとが連携動作するように、灯室内所定位置にしかも所定の姿勢（例えば、プランジャ出入口が前方や後方に向く場合は勿論、上方または下方に向く姿勢となる場合も考えられる）に組み付けられるが、ソレノイドがどのような姿勢となっても、プランジャがプランジャ出入口から脱落するおそれがないので、ソレノイドを灯室内所定位置および所定の姿勢にスムーズに組み付けることができる。
【００１３】
また、プランジャ出入口から摺動プランジャが脱落するおそれがない（プランジャはプランジャ出入口に対し抜け止めされた形態に保持される）ため、プランジャ出入口から異物が侵入して、摺動プランジャのスムーズな進退動作（ソレノイドの適正な駆動）が阻害されることもない。
【００１４】
また、給電用コネクタ部に取着する必要のある端子カバーにプランジャ脱落防止機能をもたせたので、プランジャ抜け止め防止のための別部材を後付けでソレノイドに取着する必要がないし、ソレノイドを構成する部品点数が増えることもない。
【００１５】
請求項２においては、請求項１に記載の車両用灯具において、前記給電用コネクタ部は、前記摺動プランジャの突出方向に沿って延出するとともに、前記コネクタ部の延出端側から前記端子カバーをスライド係合させることで、両者の相対スライド面の所定位置に対向して設けられている凹部と凸部で構成した凹凸ランス係合部が係合するように構成した。
【００１６】
（作用）給電用コネクタ部の延出端側から端子カバーをスライド係合させるように給電用コネクタ部に対し押し込めば、両者間の相対スライド面に設けられている凹部と凸部で構成された凹凸ランス係合部(例えば、端子カバー側の凹部とコネクタ部側の凸部)が係合(以下、凹凸ランス係合という)して、コネクタ部に端子カバーが取着されて、プランジャ抜止用の係止突起がプランジャの進退動作を妨げないで、プランジャ出入口からの摺動プランジャの脱落を阻止できる所定位置に位置決めされた形態となる。
【００１７】
請求項３においては、請求項２に記載の車両用灯具において、前記凹凸ランス係合部を構成する凹部と凸部の少なくともいずれか一方を、前記給電用コネクタ部と前記端子カバーの相対スライド方向に沿って複数設けるように構成した。
【００１８】
(作用)給電用コネクタ部の延出端側から端子カバーを給電用コネクタ部に対し押し込めば、相対スライド面に設けられている凹部と凸部が凹凸ランス係合して、コネクタ部の第１の位置に端子カバーが取着（仮止め）された形態（第１段固定形態）となって、摺動プランジャがプランジャ抜止用の係止突起によって抜け止め保持された形態（プランジャ抜止用の係止突起が第１の位置に位置決めされた形態）となる。この状態から、さらに端子カバーを給電用コネクタ部に対し押し込めば、凹凸ランス係合が外れるとともに、凸部（凹部）がスライド係合方向に隣接する凹部（凸部）と凹凸ランス係合し、コネクタ部の第２の位置に端子カバーが取着された形態（プランジャ抜止用の係止突起が第２の位置に位置決めされた第２段固定形態）となる。同様に、第３段，第４段・・・とコネクタ部の所定位置に端子カバーを取着できる。このように、凹凸ランス係合による端子カバーの取着位置（端子カバーに形成したプランジャ抜止用の係止突起の位置）を、ソレノイドの摺動プランジャと可動シェード間に介装する種々の仕様の連携機構に適用できるように、プランジャ移動可能方向複数箇所に設定しておくことで、端子カバーに形成したプランジャ抜止用の係止突起にプランジャの単なる向け止め防止という機能以外の機能をもたせることで、ソレノイドの汎用性が高まる。
【００１９】
即ち、ソレノイドの摺動プランジャと可動シェードとは、連携機構を介して連結されて、摺動プランジャの進退動作に連携して可動シェードが動作するように構成されるが、灯具ユニットが投射型か反射型かといった灯具ユニットの構成、可動シェードが回動か上下摺動かといった可動シェードの構成、さらには灯室の形状やエイミング機構等の周辺機器との関係で連携機構の構成が異なり、これに伴ってソレノイドの配設位置や姿勢や摺動プランジャにおける連携機構との連結部の形状も異なる。例えば、第１の実施例に示すように、連携機構の一部（回転プレート）を予めソレノイドに装着一体化した上で、ソレノイドを灯具ユニット所定位置に組み付ける必要がある場合には、ソレノイドを組み付ける作業を行うに際し、摺動プランジャ抜止用の係止突起によって摺動プランジャの移動を規制することで、ソレノイドに装着した連携機構の一部（回転プレート）と摺動プランジャ（のコ字溝）との係合が外れないようにして、ソレノイドを所定位置に固定するとともに、回転プレートに連携機構の一部（ロッド部材）を連結することが望ましい等、連携機構との関係で、摺動プランジャの望ましい規制位置が種々異なることが考えられる。そこで、予め、給電用コネクタ部に対する端子カバーの取着位置（端子カバーに形成した摺動プランジャ抜止用の係止突起の位置）をプランジャ移動可能方向複数個所で変更できるように構成することで、単一仕様のソレノイドであっても種々の仕様が異なる連携機構に対し適用できる。
【発明の効果】
【００２０】
本発明に係る車両用前照灯によれば、灯室内所定位置にソレノイドを組み付ける際に、プランジャ出入口からプランジャが脱落するおそれがないので、第１には、ソレノイドの取扱いや組み付け作業が簡単になり、ひいては前照灯の組み立てが容易となって、前照灯の生産性が上がる。
【００２１】
第２には、プランジャ出入口に混入した異物が原因で摺動プランジャのスムーズな進退動作（ソレノイドの適正な駆動）が阻害されるといったトラブルがなく、前照灯の配光の適正な切り替えが保証される。
【００２２】
また、ソレノイドにプランジャ抜け止め機能が追加されているものの、ソレノイドを構成する部品点数は増加しないので、前照灯の組み立てが容易となって生産性が向上することと相まって、前照灯を安価に提供することが可能となる。
【００２３】
請求項２によれば、給電用コネクタ部に端子カバーをワンタッチで取着できるので、端子カバーの給電用コネクタ部への取着が非常に簡単になる。
【００２４】
請求項３によれば、単一仕様のソレノイドであっても、給電用コネクタ部に対する端子カバーの取着位置をプランジャ移動可能方向に調整することで、プランジャ抜止用の係止突起を連携機構との関係で摺動プランジャの移動を規制する手段として用いることが可能となる等、種々の仕様の異なる連携機構に対し適用できるので、灯具ユニットの仕様（投射型と反射型）や可動シェードの仕様（回動と上下摺動）等が異なる前照灯に広く採用でき、それだけ前照灯を安価に提供できる。
【発明を実施するための最良の形態】
【００２５】
以下、本発明に係る車両用前照灯の好適な実施の形態について、実施例に基づいて詳細に説明する。
【００２６】
図１〜図３は、本発明の第１の実施例に係る車両用前照灯の概略縦断面図を示し、図１は可動シェードがすれ違いビーム形成位置にある形態の断面図、図２は可動シェードが走行ビーム形成位置にある形態の断面図、図３は可動シェード駆動用のアクチュエータであるソレノイドの斜視図である。
【００２７】
なお、本発明の第１の実施例に係る車両用前照灯の構成は、可動シェード駆動用のアクチュエータであるソレノイドの構成を除いて特許文献１（特開２００７−８０５２１号公報）に記載されている実施例の構成と同一であるため、同公報記載の構成と同一の部分は、同公報の実施例の説明で付されている符号と同一の符号を用いて本発明の第１の実施例の構成を説明する。
【００２８】
図１，２において、車両用前照灯１０は、ランプボディ１２とその前方開口部に取り付けられた素通し状の透明カバー（前面カバー）１４で形成された灯室１６内に、灯具ユニット１８が収容されて構成されている。
【００２９】
灯具ユニット１８は、ランプボディ１２にフレーム２２を介して支持されているが、該フレーム２２はエイミング機構（図示せず）を介して、ランプボディ１２に支持されている。エイミング機構は、灯具ユニット１８（前照灯１０）の光軸Ａｘを上下左右方向に傾動調整するための機構である。
【００３０】
フレーム２２は、前方から見て略矩形の枠状をしており、上下から前方に向かって支持板２４，２６がそれぞれ突設されている。上側の支持板２４の前端部には軸受部２４ａが設けられ、該軸受部２４ａによって灯具ユニット１８の上部に設けられた被支持軸３１ａが回動自在に支持される。下側の支持板２６は、該支持板２６の前端部のうち上記軸受部２４ａの真下に位置した部分に円形の軸挿通孔２６ａが形成されている。そして、フレーム２２の下側の支持板２６の下面には、上記灯具ユニット１８を水平方向に回動させるスイブルアクチュエータ７１が固定される。
【００３１】
スイブルアクチュエータ７１は、例えば、ステアリング操作に応動して駆動されることによって、出力軸７２が回転される。出力軸７２は、支持板２６の軸挿通孔２６ａを挿通し、灯具ユニット１８の下部に設けられた連結軸３１ｂに嵌合され、該連結軸３１ｂは出力軸７２に連結される。従って、スイブルアクチュエータ７１が駆動されると、出力軸７２が回転され、該出力軸７２の回転に伴って灯具ユニット１８が水平方向に回動される。
【００３２】
灯具ユニット１８は、プロジェクタ型の灯具ユニットであり、前方に配置された投影レンズ１１と、後方に配置されたほぼ楕円球面状の反射面２５ａをもつリフレクタ２５と、発光部２３ａが反射面２５ａの第１焦点に一致するようにリフレクタ２５に挿着された光源である放電バルブ２３と、レンズホルダ３１を介してリフレクタ２３の前方に配置された投影レンズ１１と、リフレクタ２５と投影レンズ１１間に配置されたカットオフライン形成用の可動シェード３０で主として構成されている。符号３２は、リフレクタ２５で反射された迷光を遮光する固定シェードで、レンズホルダ３１に一体的に形成されている。符号２７，２８は、放電バルブ２３からの直射光を配光として有効利用するための付加リフレクタで、それぞれリフレクタ２５に一体的に形成されている。
【００３３】
可動シェード３０は、灯具ユニット１８の光軸Ａｘに対し直交して水平方向に延びる回動軸線Ａｙ周りに回動可能に支持されるとともに、その上端縁３０ａが投影レンズ１１の後方焦点であって反射面２５ａの第２焦点位置Ｆにくるように付勢保持されている。即ち、可動シェード３０は、レンズホルダ３１（固定シェード３２）と可動シェード３０間に介装されたリターンスプリング（図示せず）によって、レンズホルダ３１（固定シェード３２）側に設けたストッパ部（図示せず）に当接して、図１反時計回りに回転付勢されている。
【００３４】
符号６０は、放電バルブ２３の後端部に取着されたバルブソケット６０で、バルブソケット６０から導出された給電コード６１は、灯具ユニット１８の背後を通って下方へ延び、ランプボディ１２の下部に配置された点灯回路ユニット６５に接続されている。
【００３５】
符号１００は、可動シェード３０を回動軸線Ａｙ周りに回動させて、灯具ユニット１８（前照灯１０）の配光をすれ違いビームと走行ビーム間で切り替えるアクチュエータであるソレノイドで、レンズホルダ３１の下方延出部３１ｃにねじ止めされることで、プランジャ出入口１１３を前方に向けて配設固定されている。
【００３６】
ソレノイド１００は、ソレノイド本体１０１のプランジャ出入口１１３（図３参照）に対し前後方向に進退動作する摺動プランジャ１３０を備え、摺動プランジャ１３０と可動シェード３０との間には、摺動プランジャ１３０の進退動作に連携して可動シェード３０を回動させる連携機構３９（ロッド部材４０，回転プレート５５）が介装されている。
【００３７】
即ち、回転プレート５５と摺動プランジャ１３０との連携構造については、後に詳しく説明するが、図３に示すように、ソレノイド１００側の支軸１０６周りに回動可能な回転プレート５５と可動シェード３０とが、線材で構成されたロッド部材４０で連結されるとともに、回転プレート５５のプランジャ係合部５５ｃと摺動プランジャ１３０のコ字溝１３２が係合することで、摺動プランジャ１３０の進退動作（図１，図３の左右方向への動作）と回転プレート５５の支軸１０６周りの回動と可動シェード３０の回動軸線Ａｙ周りの回動とが連携するように構成されている。なお、ロッド部材４０は、その上端屈曲部４０ａが可動シェードに設けた円孔（図示せず）に係止されるとともに、その下端屈曲部４０ｂが回転プレート５５に設けた円孔５５ｂ１に係止されている。
【００３８】
そして、ソレノイド１００への非通電時には、図１に示すように、可動シェード３０は、図示しないリターンスプリングによって、回動軸線Ａｙ周り反時計周りに付勢された形態に保持されて、可動シェード３０の上端縁３０ａが光軸Ａｘ上にある投射レンズ１１の後方焦点Ｆ位置となり、リフレクタ２５で反射されて光軸Ａｘより上方に向かう光が可動シェード３０でカットされるため、灯具ユニット１８（前照灯１０）はすれ違いビームＬ１を形成する。このとき、連携機構３９（ロッド部材４０，回転プレート５５）を介して可動シェード３０に連結されている摺動プランジャ１３０は、連携機構３９によって規制される前方（図１，図３左方向）所定位置まで突出している。
【００３９】
一方、ソレノイド１００への通電時には、図２に示すように、摺動プランジャ１３０が後退（図２，図３右方向に移動）するため、回転プレート５５が支軸１０６周り反時計周りに回動する。このため、ロッド部材４０が下方に引張られるという連携機構３９の動作を介して、可動シェード３０は、リターンスプリングの付勢力に抗して回動軸線Ａｙ周り時計周りに回動し、可動シェード３０の上端縁３０ａが光軸Ａｘより下方位置となり、リフレクター２５で反射されて光軸Ａｘより上方に向かう光が可動シェード３０でカットされないため、灯具ユニット１８（前照灯１０）は走行ビームＬ２を形成する。
【００４０】
その後、ソレノイド１００への通電が止むと、リターンスプリングの付勢力によって、可動シェード３０は、図示しないストッパに当接する元の位置まで回動軸線Ａｙ周り反時計回りに回動して、すれ違いビームを形成する形態（図１参照）に戻る。このとき、可動シェード３０の回動によりロッド部材４０が上方に引張られ、回転プレート５５が支軸１０６周り時計周りに回動するという連携機構３９の動作を介して、摺動プランジャ１３０が連携機構３９に規制される前方所定位置まで前進する。
【００４１】
次に、本実施例の要部である可動シェード駆動用のソレノイド１００の構成について、図３〜９に基づいて詳しく説明する。
【００４２】
図３はソレノイドの斜視図、図４は回転プレートのプランジャ係合部と摺動プランジャのコ字溝との係合位置における断面図、図５は同ソレノイドの分解斜視図、図６はソレノイド本体の要部斜視図、図７は給電用コネクタ部の底面斜視図、図８（ａ），（ｂ），（ｃ）は端子カバーを給電用コネクタ部に取着するとともに、連携機構の一部である回転プレートをソレノイドに組み付ける様子を示す斜視図、図９はプランジャ抜止用の係止突起の機能を説明する説明図で、（ａ）はプランジャ抜止用の係止突起による摺動プランジャ脱落防止機能を説明する説明図、（ｂ）はプランジャ抜止用の係止突起による回転プレートと摺動プランジャのコ字溝間の係合逸脱防止機能を説明する説明図である。
【００４３】
これらの図、特に図３，５，６において、ソレノイド１００は、励磁用コイル１１４を捲回した樹脂製のボビン１１２がヨークである矩形枠型の金属製のソレノイド本体ケース１０４内に収容一体化されたソレノイド本体１０１と、その先端部が本体ケース前面壁１０４ａのプランジャ出入口１１３を貫通して前方に突出するようにボビン１１２内に挿通された、鉄心を内蔵する摺動プランジャ１３０と、ボビン１１２に一体成形されて本体ケース前面壁１０４ａの下部から前方に延出する樹脂製の給電用コネクタ部１２０と、給電用コネクタ部１２０に取着された樹脂製の端子カバー１４０を備えて構成されている。
【００４４】
本体ケース１０４の左右の側面壁１０４ｂ，１０４ｃの下部には、外側に張り出す脚部１０４ｂ１，１０４ｃ１が形成され、脚部１０４ｂ１，１０４ｃ１には、締結ねじ挿通用のねじ挿通孔１０４ｂ２，１０４ｃ２が設けられている。なお、脚部１０４ｂ１およびねじ挿通孔１０４ｂ２は図示しない。
【００４５】
また、本体ケース１０４の前面側には、本体ケース側面壁１０４ｂ上部から支持板部１０５が前方に突出形成され、この支持板部１０５には、摺動プランジャ１３０と交差するように支軸１０６が垂設され、支軸１０６には、回転中心から半径方向に突設されたロッド係合部５５ｂと円弧形状のプランジャ係合部５５ｃを有する略Ｌ字形状の回転プレート５５が回転可能に装着されている。符号５６は、回転プレート５５を抜け止め支持するＥリング（図４，５参照）である。
【００４６】
一方、摺動プランジャ１３０の先端側には、コ字溝（切欠）１３２が形成され、連携機構３９を構成する回転プレート５５のプランジャ係合部５５ｃがこのコ字溝（切欠）１３２に係合（プランジャ係合部５５ｃの外周縁がコ字溝１３２の前端面１３２ａと後端面１３２ｂに係合し、図４に拡大して示すように、プランジャ係合部５５ｃの外側面５５ｃ１がコ字溝１３２の底面であるプランジャ小径部１３２ｃに係合）している。
【００４７】
また、ソレノイド本体１０１のプランジャ出入口１１３に回動自在かつ軸方向移動自在に挿通されている摺動プランジャ１３０は、図８（ｃ），図９（ｂ）に示すように、給電用コネクタ部１２０に取着された端子カバー１４０に形成されているプランジャ抜止用の係止突起１４４によって、所定量以上の前方への移動が規制されることで、ソレノイド１００を連携機構３９と連携するようにレンズホルダ３１の下方延出部３１ｃに取り付ける際に、摺動プランジャ１３０のコ字溝（切欠）１３２と回転プレート５５のプランジャ係合部５５ｃとの係合が外れないようになっている。
【００４８】
即ち、ソレノイド１００をレンズホルダ３１の下方延出部３１ｃに固定し、ソレノイド１００の摺動プランジャ１３０と可動シェード３０とを連携機構３９（回転プレート５５，ロッド部材）で連結するには、予め回転プレート５５をソレノイド１００の支軸１０６に装着一体化するとともに、回転プレート５５のプランジャ係合部５５ｃと摺動プランジャ１３０のコ字溝（切欠）１３２との係合関係を保ったまま、ソレノイド１００をレンズホルダ３１の下方延出部３１ｃに固定することが、作業性の面から最も望ましい。しかし、ソレノイド１００を持ち運びするだけで、摺動プランジャ１３０が移動しやすく、摺動プランジャ１３０が前方に所定量以上移動することで、回転プレート５５のプランジャ係合部５５ｃと摺動プランジャ１３０のコ字溝（切欠）１３２との係合が簡単に外れてしまい、係合が外れれば、それだけソレノイド１００の灯具ユニット１８への組み付け作業が面倒になる。
【００４９】
然るに、本実施例では、ソレノイド１００を持ち運びしたとしても、給電用コネクタ部１２０に取着した端子カバー１４０に形成されている係止突起１４４が、摺動プランジャ１３０の所定量以上の移動を阻止し、摺動プランジャ１３０のコ字溝（切欠）１３２と回転プレート５５のプランジャ係合部５５ｃとの係合が外れないため、灯具ユニット１８の下方所定位置（レンズホルダ３１の下方延出部３１ｃ）へのソレノイド１００の取り付け作業および可動シェード３０と摺動プランジャ１３０間の連携機構３９（回転プレート５５，ロッド部材４０）による連結作業をスムーズに遂行できる。
【００５０】
換言すれば、端子カバー１４０に形成されている係止突起１４４は、灯具ユニット１８の配光を切り替えるためのソレノイド１００の駆動（ソレノイド１００への通電・非通電時における摺動プランジャ１３０の進退動作）を妨げない位置（ソレノイド１００への非通電時の摺動プランジャ１３０の先端部に当接しない位置）であって、回転プレート５５のプランジャ係合部５５ｃとプランジャ１３０のコ字溝（切欠）１３２間の係合を保持できる、プランジャ突出方向前方の所定位置に設定されている。
【００５１】
また、支軸１０６に回転可能に装着されている回転プレート５５は、そのプランジャ係合部５５ｃがプランジャ１３０のコ字溝（切欠）１３２に係合した形態では、図４に示すように、プランジャ係合部５５ｃの外側面５５ｃ１が摺動プランジャ１３０の小径部１３２ｃにおける支軸１０６基端部側（図４の左側）に臨む側面１３２ｃ１に当接して、支軸１０６からの脱落が阻止された構造となっている。このため、支軸１０６には、回転プレート５５を抜け止めするためのＥリング５６が装着されているが、コ字溝（切欠）１３２が回転プレート５５を支軸１０６に対し抜け止め保持するので、Ｅリング５６等の回転プレート抜け止め保持手段は必ずしも必要ではない。
【００５２】
また、本体ケース前面壁１０４ａの下部から前方に延出する給電用コネクタ部１２０は、全体が略矩形状に形成され、給電用コネクタ部１２０の巾方向一方の側には、前方に開口するプラグ装着孔１２１が設けられ、プラグ装着孔１２１内には、図７に示すように、バスバー配線１２６で構成された２本の接続端子１２６ａ，１２６ｂが前方に向かって突出形成されている。そして、図６に示すように、２個のターミナル端子（図示せず）を内蔵した電源側のプラグ部１２８をこの装着孔１２１に装着することで、プラグ部１２８（側のターミナル端子）と給電用コネクタ部１２０（側の接続端子１２６ａ，１２６ｂ）とが電気的に接続される。
【００５３】
また、給電用コネクタ部１２０は、図７に示すように、その底面側が開口されており、圧入やカシメによって、励磁コイル１１４への通電路を構成するバスバー配線１１６がコネクタ部１２０内に敷設されている。この通電路を構成するバスバー配線１２６には、ソレノイド１００への通電ＯＦＦ時に励磁コイル１１４で発生するノイズを低減するためのノイズ低減用ダイオード１２７ａと、電源を逆接続したときにノイズ低減用ダイオード１２７ａを保護するための大容量ダイオード１２７ｂとが圧入により搭載されている。
【００５４】
また、給電用コネクタ部１２０内のバスバー配線１２６は、コネクタ部の底面側に露呈するため絶縁上の不安があるが、給電用コネクタ部１２０に取着された端子カバー１４０が底面側開口部全体を覆うことで、コネクタ部１２０内のバスバー配線１１６の絶縁が確保されている。
【００５５】
また、端子カバー１４０は、図５に示すように、上方，前方の一部および後方が開口する断面コ字型に構成された蟻溝構造の矩形状枠体で構成されており、給電用コネクタ部１２０の先端部側から端子カバー１４０をスライド係合させることで、給電用コネクタ部１２０に取着できる。符号１４１は、端子カバー１４０の前面壁１４０ａに形成されている、コネクタ部１２０のプラグ装着孔１２１に対応する開口である。
【００５６】
詳しくは、ソレノイド本体１０１の前方に延出する給電用コネクタ部１２０の左右の側壁の基端部側には、前面側を傾斜面とする三角形状の凸部１２２が一対形成されるとともに、端子カバー１４０の左右の側壁１４０ｂ，１４０ｃの後端部寄りには、コネクタ部１２０の凸部１２２が係合できる第１，第２の凹部（矩形孔）１４２、１４３がスライド係合方向に隣接して設けられている。
【００５７】
そして、端子カバー１４０の後端部を給電用コネクタ部１２０の先端部に対し押し込めば、図８（ａ），図９（ａ）に示すように、相対スライド面に対向して設けられている第１の凹部（矩形孔）１４２と凸部１２２が凹凸ランス係合して、コネクタ部１２０の第１の位置に端子カバー１４０が取着（仮止め）された形態（第１段固定形態）となる。このときの摺動プランジャ１３０は、端子カバー１４０に形成されているプランジャ抜止用の係止突起１４４によって、プランジャ出入口１１３から脱落しないように抜け止め保持された形態となる。
【００５８】
即ち、凸部１２２と第１の凹部（矩形孔）１４２が凹凸ランス係合する端子カバー１４０の取着位置（プランジャ抜止用の係止突起１４４の位置）は、ソレノイド１００を持ち運びする際に、摺動プランジャ１３０が突出方向に勝手に移動しても、プランジャ出入口１１３からプランジャ１３０が脱落しない所定位置に設定されている。この第１段固定形態では、ソレノイド１００がどのような姿勢となっても、プランジャ出入口１１３からプランジャ１３０が脱落しないので、ソレノイド１００を搬送したり保管したりするのに便利である。
【００５９】
また、この第１段固定形態から、さらに端子カバー１４０を給電用コネクタ部１２０に対し押し込めば、第１の位置における凹凸ランス係合が外れるとともに、凸部１２２がスライド係合方向に隣接する第２の凹部（矩形孔）１４３と凹凸ランス係合して、図８（ｃ），図９（ｂ）に示すように、コネクタ部１２０の第２の位置に端子カバー１４０が取着された形態（第２段固定形態）となる。
【００６０】
即ち、凸部１２２と第２の凹部（矩形孔）１４３が凹凸ランス係合する端子カバー１４０の取着位置（プランジャ抜止用の係止突起１４４の位置）は、摺動プランジャ１３０が勝手に突出方向に移動しても、摺動プランジャ１３０のコ字溝１３２と回動プレート５５のプランジャ係合部５５ｃ間の係合が外れない所定位置に設定されている。
【００６１】
したがって、この第２段固定形態は、ソレノイド１００を灯具ユニット１８の下方所定位置（レンズホルダ３１の下方延出部３１ｃ）に取り付け、連携機構３９であるロッド部材４０を連結する際に便利である。
【００６２】
具体的には、まず、前記した第１段固定形態で、図８（ａ）に示すように、連携機構１３９の一部である回動プレート５５を支軸１０６に装着する。次に、図８（ｂ）に示すように、摺動プランジャ１３０のコ字溝１３２に回動プレート５５のプランジャ係合部５５ａを係合させた状態にしてから、図８（ｃ）に示すように、端子カバー１４０を押し込んで第２段固定形態にする。次いで、この第２段固定形態のソレノイド１００を灯具ユニット１８の下方所定位置（レンズホルダ３１の下方延出部３１ｃ）にねじ固定するとともに、可動シェード３０と回動プレート５５をロッド部材４０で連結する。
【００６３】
また、前記第１の実施例の車両用前照灯１０においては、可動シェード３０を回動させるためのソレノイド１００が、プランジャ出入口１１３を前方に向けて配設されるとともに、ソレノイド１００の摺動プランジャ１３０と可動シェード３０間に連携機構３９（回転プレート５５，ロッド部材４０）が介装されて、摺動プランジャ１３０の進退動作と可動シェード３０の回動が連携するように構成されていたが、図１０に示すように、ソレノイド１００Ａがプランジャ出入口１１３を後方に向けて配設されるとともに、摺動プランジャ１３０Ａの先端部と可動シェード３０Ａの左右一対の下方延出プレート３０ｂ間に連携機構３９Ａを構成する略コ字型操作アーム４０Ａ（４０Ｂ）が介装された構造であってもよい。
【００６４】
即ち、図１０は本発明の第２の実施例に係る車両用前照灯の概略縦断面図を示すもので、投射型の灯具ユニット１８Ａには、回動軸線Ａｙ周りに回動可能な可動シェード３０Ａが設けられている。灯具ユニット１８の下方所定位置（レンズホルダ３１の下方延出部３１ｃ）には、ソレノイド１００Ａがプランジャ出入口１１３を後方に向けて配設固定されている。そして、可動シェード３０Ａの下方延出プレート３０ｂと摺動プランジャ１３０Ａの先端部とが高剛性の略コ字型操作アーム４０Ａ（４０Ｂ）で連結されて、摺動プランジャ１３０Ａの進退動作と可動シェード３０の回動が連携するように構成されている。
【００６５】
連携機構３９Ａの一例としては、図１１（ａ）に示すように、操作アーム４０Ａの左右一対の横断面円形状の上端屈曲部４０ｃ，４０ｃが可動シェード３０Ａの左右一対の下方延出プレート３０ｂに設けた長孔３０ｂ１に相対回動自在および長孔に沿ってスライド自在に係止されるとともに、操作アーム４０Ａの横断面矩形状の下端水平延出部４０ｄが摺動プランジャ１３０Ａの先端部端面に設けた横断面矩形状の横溝１３１にカシメ固定された構造で、摺動プランジャ１３０Ａの進退動作（操作アーム４０Ａの左右スライド）と可動シェード３０Ａ（下方延出プレート３０ｂ）の回動軸線Ａｙ周りの回動が連携動作する。
【００６６】
連携機構３９Ａの他の例としては、図１１（ｂ）に示すように、操作アーム４０Ｂの左右一対の横断面矩形状の上端屈曲部４０ｃ，４０ｃが可動シェード３０Ａの左右一対の下方延出プレート３０ｂに設けた矩形状の長孔３０ｂ２に長孔に沿ってスライド自在に係止されるとともに、操作アーム４０Ｂの横断面円形状の下端水平延出部４０ｄが摺動プランジャ１３０Ａの先端部端面に設けた横溝１３１Ａに相対回動自在に係止された構造で、摺動プランジャ１３０Ａの進退動作と可動シェード３０Ａ（下方延出プレート３０ｂ）の回動軸線Ａｙ周りの回動（操作アーム４０Ｂの揺動）が連携動作する。
【００６７】
また、前記した第１の実施例では、端子カバー１４０のプランジャ抜止用の係止突起１４４を、プランジャ出入口１１３からの摺動プランジャ１３０の脱落を防止する第１段固定形態と、摺動プランジャ１３０のコ字溝（切欠）１３２と回転プレート５５のプランジャ係合部５５ｃ間の係合が外れない第２段固定形態の２箇所において位置決めできるように、端子カバー１４０には第１，第２の２箇所の凹部（矩形孔）１４２，１４３が形成されていたが、この第２の実施例では、プランジャ出入口１１３からの摺動プランジャ１３０の脱落だけを防止すればよいことから、端子カバー１４０には、コネクタ部１２０側の凸部１２２に対応する第１の凹部（矩形孔）１４２だけが形成されている。
【００６８】
その他は、前記した第１の実施例と同一であり、同一の符号を付すことで、重複した説明は省略する。
【００６９】
そして、可動シェード３０Ａは、前記した第１の実施例の場合の可動シェード３０と同様に、ソレノイド１００Ａへの非通電時には、図示しないリターンスプリングによって、すれ違いビーム形成位置に向けて常時付勢（図１０で反時計周りに常時付勢）されている。可動シェード３０Ａの上端縁３０ａは、光軸Ａｘ上にある投射レンズ１１の後方焦点Ｆ位置にあって、リフレクタ２５で反射されて光軸Ａｘより上方に向かう光が可動シェード３０Ａでカットされるため、灯具ユニット１８Ａ（前照灯１０Ａ）はすれ違いビームＬ１を形成する。このとき、連携機構３９Ａ（操作アーム４０Ａ）を介して可動シェード３０Ａに連結されている摺動プランジャ１３０Ａは、連携機構３９Ａ（操作アーム４０Ａ）によって規制された所定位置まで突出している。
【００７０】
一方、ソレノイド１００Ａへの通電時は、摺動プランジャ１３０Ａが後退し、コ字型操作アーム４０Ａが仮想線で示すように前方（図１０の左側）に移動する。このため、可動シェード３０Ａは、リターンスプリングの付勢力に抗して回動軸線Ａｙ周り時計周りに回動し、可動シェード３０Ａの上端縁３０ａが光軸Ａｘより下方位置となり、リフレクター２５で反射されて光軸Ａｘより上方に向かう光が可動シェード３０Ａでカットされないため、灯具ユニット１８Ａ（前照灯１０Ａ）は走行ビームを形成する。
【００７１】
その後、ソレノイド１００Ａへの通電が止むと、リターンスプリングの付勢力によって、可動シェード３０Ａは、図示しないストッパに当接する元の位置まで回動軸線Ａｙ周りに回動して、すれ違いビームを形成する形態（図１０参照）に戻る。このとき、可動シェード３０Ａの回動により、コ字型操作アーム４０Ａが後方（図１０の右側）に押され、摺動プランジャ１３０Ａが後方所定位置まで突出する。
【００７２】
なお、前記した第１，第２の実施例では、灯室１６内に、投影レンズ１１，光源２３を挿着した略楕円体形状のリフレクタ２５および可動シェード３０（３０Ａ）を一体化した投射型（プロジェクタ型）灯具ユニット１８（１８Ａ）が収容され、灯具ユニット１８（１８Ａ）の近傍に設けたソレノイド１００（１００Ａ）の駆動によって可動シェード３０（３０Ａ）が回動軸線Ａｙ周りに回動して灯具ユニット１８（１８Ａ）の配光が切り替わる前照灯として説明されているが、灯具ユニットは投射型に限るものではない。
【００７３】
即ち、灯室内に、光源を挿着した放物面リフレクターに可動シェードを一体化した反射式灯具ユニットが収容され、灯具ユニットの近傍に設けたソレノイドの駆動によって可動シェードが回動軸線周りに回動して灯具ユニットの配光が切り替わる前照灯（例えば、特開２００３−６８１１６）にも適用できる。
【００７４】
また、前記した実施例では、可動シェードが回動軸線Ａｙ周りに回動する構成として説明されているが、灯具ユニットの光軸を上下方向に横切る方向に可動シェードが移動するように構成される等、可動シェードが動作することですれ違いビームと走行ビームが切り替わるように構成されたものであれば、可動シェードは回動，揺動，摺動等、如何なる構造であってもよい。
【００７５】
また、前記した第１，第２の実施例では、ソレノイド１００（１００Ａ）の摺動プランジャ１３０（１３０Ａ）の進退動作と可動シェード３０（３０Ａ）の回動を連携させるための連携機構３９（３９Ａ）が、ロッド部材４０，回転プレート５５および摺動プランジャ１３０のコ字溝（切欠）１３２（下方延出プレート３０ｂ，操作アーム４０Ａ，４０Ｂ）で構成されていたが、これらに限るものではなく、ソレノイドの摺動プランジャの進退動作と可動シェードの回動が連携するものであれば、如何なる連携機構であってもよい。さらに、可動シェードの構成は前記したように回動以外に、摺動，揺動等の種々の動作構成が考えられるので、ソレノイドの摺動プランジャの進退動作と可動シェードの動作が連携するものであれば、如何なる連携機構であってもよい。
【図面の簡単な説明】
【００７６】
【図１】本発明の第１の実施例に係る車両用前照灯の概略縦断面図で、可動シェードがすれ違いビーム形成位置にある形態の断面図である。
【図２】同前照灯の概略縦断面図で、可動シェードが走行ビーム形成位置にある形態の断面図である。
【図３】可動シェード駆動用のアクチュエータであるソレノイドの斜視図である。
【図４】回転プレートのプランジャ係合部と摺動プランジャのコ字溝との係合位置における断面図である。
【図５】同ソレノイドの分解斜視図である。
【図６】ソレノイド本体の要部斜視図である。
【図７】給電用コネクタ部の底面斜視図である。
【図８】（ａ），（ｂ），（ｃ）は端子カバーを給電用コネクタ部に取着するとともに、連携機構の一部である回転プレートをソレノイド１００に組み付ける様子を示す斜視図である。
【図９】（ａ）はプランジャ抜止用の係止突起による摺動プランジャ脱落防止機能を説明する説明図、（ｂ）はプランジャ抜止用の係止突起による回転プレートと摺動プランジャのコ字溝間の係合逸脱防止機能を説明する説明図である。
【図１０】本発明の第２の実施例に係る車両用前照灯の概略縦断面図で、可動シェードがすれ違いビーム形成位置にある形態の縦断面図である。
【図１１】第２の実施例の要部である連携機構の詳細を示す分解斜視図である。
【符号の説明】
【００７７】
１０，１０Ａ  車両用前照灯
１１  投影レンズ
１２  ランプボディ
１４  前面カバー
１６  灯室
１８，１８Ａ  投射型灯具ユニット
Ａｘ  前照灯（灯具ユニット）の光軸
Ａｙ  可動シェードの回動軸線
２３  光源である放電バルブ
２５  リフレクタ
３０，３０Ａ  可動シェード
３０ａ  シェードの上端縁
３９，３９Ａ  摺動プランジャの進退動作と可動シェードの回動を連携させる連携機構
４０  連携機構を構成するロッド部材
４０Ａ，４０Ｂ  連携機構を構成する略コ字型操作アーム
５５  連携機構を構成する回転プレート
５５ｂ  回転プレートに形成したロッド係合部
５５ｃ  回転プレートに形成したプランジャ係合部
１００，１００Ａ  可動シェード駆動用のアクチュエータであるソレノイド
１０１  ソレノイド本体
１１３  プランジャ出入口
１１６ａ，１１６ｂ  接触端子
１２０  給電用コネクタ部
１２２  凹凸ランス係合部を構成する凸部
１２６  バスバー配線
１２７ａ  ノイズ低減用ダイオード
１３０，１３０Ａ  摺動プランジャ
１３２  摺動プランジャ先端側に形成したコ字溝（切欠）
１３１  摺動プランジャ先端面に形成した横溝
１４０  端子カバー
１４２  凹凸ランス係合部を構成する第１の凹部（矩形孔）
１４３  凹凸ランス係合部を構成する第２の凹部（矩形孔）
１４４  プランジャ抜止用の係止突起
【図１】
2010003589.tif 000003
【図２】
2010003589.tif 000004
【図３】
2010003589.tif 000005
【図４】
2010003589.tif 000006
【図５】
2010003589.tif 000007
【図６】
2010003589.tif 000008
【図７】
2010003589.tif 000009
【図８】
2010003589.tif 000010
【図９】
2010003589.tif 000011
【図１０】
2010003589.tif 000012
【図１１】
2010003589.tif 000013